(57)【特許請求の範囲】
【請求項１】
スライド丁番の取付側本体部の上側に重なるような形状をなすと共に、前記取付側本体部の上側に位置する縦長本体部の幅方向両側には前記取付側本体部の側部取付用のガイド部と、前記縦長本体部の幅方向中間部には、幅方向左右側に形成された開口孔を介して対の弾性を有する突起片が垂下形成された係止突起と、長方形状杆片と細長回動板片とからなる回動係止部と、前記縦長本体部の側部に形成された装着部に装着可能なダンパとからなり、前記両突起片の下端には拡大部が形成されると共に、前記両突起片の対向間に形成された垂直状中空としての長方形状間隔部の長辺方向と、前記縦長本体部の長手方向とが一致してなり、前記係止突起の両突起片の平面的にみた外周形は前記スライド丁番に形成された取付用挿入孔と略同形をなすと共に、前記回動係止部の長方形状杆片の長方形断面の長辺方向と前記細長回動板片の長手方向とは直交するように構成され、前記長方形状杆片が前記係止突起の長方形状間隔部に遊挿されて適宜の回転にて前記両突起片の内方への弾性力を遮断するように制御されてなることを特徴するスライド丁番用緩衝具。
【請求項２】
請求項１において、前記係止突起の長方形状間隔部の長辺方向の間隔と前記回動係止部の長方形状杆片の長方形断面の長辺方向の長さと略同一に形成されてなることを特徴とするスライド丁番用緩衝具。
【請求項３】
請求項１又は２において、前記縦長本体部の長手方向の両端側には、前記スライド丁番に設けた調整ネジ位置に対応するような前孔部及び後孔部がそれぞれ貫通形成されてなることを特徴とするスライド丁番用緩衝具。
【請求項４】
請求項１，２又は３において、前記細長回動板片の操作時の最終回転時において該細長回動板片の端が当接するストッパ片が前記縦長本体部の上面に適宜形成されてなることを特徴とするスライド丁番用緩衝具。
【請求項５】
請求項１，２，３又は４において、前記縦長本体部及び装着部は合成樹脂製としてなることを特徴とするスライド丁番用緩衝具。」
【請求項６】
請求項１，２，３，４又は５において、前記ダンパの先端側には押圧頭面が形成されてなることを特徴とするスライド丁番用緩衝具。
【請求項７】
請求項１，２，３，４，５又は６において、前記ダンパの装着部の後部には前記ダンパの位置調整用の押圧調整ネジが設けられてなることを特徴とするスライド丁番用緩衝具。
【発明の詳細な説明】
【技術分野】
【０００１】
本発明は、取付及び取り外しが簡易且つ迅速にでき、特に、僅かな力でも大きな力として取付けができ、しかも、簡易に取り外しができるスライド丁番用緩衝具に関する。
【背景技術】
【０００２】
従来より、スライド丁番用緩衝具は、数多く存在している。このスライド丁番用緩衝具が家具,キャビネットなどの扉につけられると、そのダンパ（緩衝具）の弾性力によって、その戸又は扉がばねなどによって戻るバタンという大きな音を無くすような作用をなす。つまり、扉などが、急激に戻る作用を回避して、危険及び音の発生までも回避するような構成である。このようにすることで、扉自体の品質をも向上させんとしている。かかる目的にて、特許文献１が存在するが、スライド丁番用緩衝具をスライド丁番に取り付けるのに、着脱が面倒であったり、そのスライド丁番に取り付けると、そのスライド丁番の取付位置に対しての微調整が極めて面倒であるなどの欠点があった。
【先行技術文献】
【特許文献】
【０００３】
【特許文献１】特開２００２−１３８７４８
【発明の概要】
【発明が解決しようとする課題】
【０００４】
特に、本発明が解決しようとする課題（技術的課題又は目的等）は、取付及び取り外しが簡易且つ迅速にでき、特に、僅かな力でも大きな力として取付けができ、しかも、簡易に取り外しができるスライド丁番用緩衝具を提供することである。
【課題を解決するための手段】
【０００５】
そこで、発明者は上記課題を解決すべく鋭意，研究を重ねた結果、請求項１の発明を、スライド丁番の取付側本体部の上側に重なるような形状をなすと共に、前記取付側本体部の上側に位置する縦長本体部の幅方向両側には前記取付側本体部の側部取付用のガイド部と、前記縦長本体部の幅方向中間部には、幅方向左右側に形成された開口孔を介して対の弾性を有する突起片が垂下形成された係止突起と、長方形状杆片と細長回動板片とからなる回動係止部と、前記縦長本体部の側部に形成された装着部に装着可能なダンパとからなり、前記両突起片の下端には拡大部が形成されると共に、前記両突起片の対向間に形成された垂直状中空としての長方形状間隔部の長辺方向と、前記縦長本体部の長手方向とが一致してなり、前記係止突起の両突起片の平面的にみた外周形は前記スライド丁番に形成された取付用挿入孔と略同形をなすと共に、前記回動係止部の長方形状杆片の長方形断面の長辺方向と前記細長回動板片の長手方向とは直交するように構成され、前記長方形状杆片が前記係止突起の長方形状間隔部に遊挿されて適宜の回転にて前記両突起片の内方への弾性力を遮断するように制御されてなることを特徴するスライド丁番用緩衝具としたことにより、前記課題を解決した。
【０００６】
請求項２の発明を、請求項１において、前記係止突起の長方形状間隔部の長辺方向の間隔と前記回動係止部の長方形状杆片の長方形断面の長辺方向と長さと略同一に形成されてなることを特徴とするスライド丁番用緩衝具としたことにより、前記課題を解決した。請求項３の発明を、請求項１又は２において、前記縦長本体部の長手方向の両端側には、前記スライド丁番に設けた調整ネジ位置に対応するような前孔部及び後孔部がそれぞれ貫通形成されてなることを特徴とするスライド丁番用緩衝具としたことにより、前記課題を解決した。請求項４の発明を、請求項１，２又は３において、前記細長回動板片の操作時の最終回転時において該細長回動板片の端が当接係止するストッパ片が前記縦長本体部の上面に適宜形成されてなることを特徴とするスライド丁番用緩衝具としたことにより、前記課題を解決した。請求項５の発明を、請求項１，２，３又は４において、前記縦長本体部及び装着部は合成樹脂製としてなることを特徴とするスライド丁番用緩衝具としたことにより、前記課題を解決した。請求項６の発明を、請求項１，２，３，４又は５において、前記ダンパの先端側には押圧頭面が形成されてなることを特徴とするスライド丁番用緩衝具としたことにより、前記課題を解決した。請求項７の発明を、請求項１，２，３，４，５又は６において、前記ダンパの装着部の後部には前記ダンパの位置調整用の押圧調整ネジが設けられてなることを特徴とするスライド丁番用緩衝具としたことにより、前記課題を解決したものである。
【発明の効果】
【０００７】
請求項１の発明においては、回動係止部の長方形状杆片を前記縦長本体部の係止突起の長方形状間隔部に遊挿して、前記細長回動板片を適宜回転することで、少ない力でも極めて簡易且つ迅速に、スライド丁番への取付固定ができる利点がある。その取付は、既に、キャビネットに取付け後のスライド丁番への取付ができるし、また、キャビネット取付前のスライド丁番への取付もできる。また、請求項２の発明では、そのような寸法関連では、取付後に、逆方向に細長回動板片が適宜回転することもなく、確実な固定ができる。つまり、絶対に外れないようにできる。請求項３の発明では、取り付けた後でも、その前孔部及び後孔部から取付ネジを適宜操作でき、これによってスライド丁番の取付位置調整が簡単にできる。請求項４の発明では、前記回動係止部の細長回動板片が当接係止することで逆回転せず、確実な固定ができ、外れ防止の徹底化を図ることができる。請求項５の発明では、量産品を安価に提供でき、他は、請求項１等と同様の効果を奏する。請求項６の発明では、扉への当たり音を適宜軽減できる。さらに、請求項７の発明では、そのダンパの力を適宜調整でき、扉への当たり音及び扉の閉まる直前の速度等の微調整できる利点がある。
【図面の簡単な説明】
【０００８】
【図１】（Ａ）は本発明をキャビネット及び扉に取り付けた一部断面を有するとして組立図、（Ｂ）は（Ａ）において本発明の縦長本体部及び回動係止部の大部分を削除した平面図、（Ｃ）は（Ａ）の扉のみを想像線としたＸ１ーＸ１矢視断面図である。
【図２】（Ａ）は本発明品の分解斜視図、（Ｂ）は縦長本体部及び装着部の裏面側からの斜視図、（Ｃ）は係止突起をスライド丁番の孔部に挿入せんとした状態図、（Ｄ）は係止突起の上端箇所の除いた斜視図である。
【図３】（Ａ）は係止突起の長方形状杆片を縦長本体部の長方形状間隔部に遊挿した直後の状態の一部切除した平面図、（Ｂ）は（Ａ）のＸ２―Ｘ２矢視断面図、（Ｃ）は係止突起の長方形状杆片を縦長本体部の長方形状間隔部に遊挿した後に約４５度回転した状態の一部切除した平面図、（Ｄ）は（Ｃ）のＸ３―Ｘ３矢視断面図、（Ｅ）は係止突起の長方形状杆片を縦長本体部の長方形状間隔部に遊挿した後に約９０度回転して固定完了した一部切除した平面図、（Ｆ）は（Ｅ）のＸ４―Ｘ４矢視断面図である。
【図４】（Ａ）は本発明の縦長本体部及び回動係止部の大部分を削除してスライド丁番に取り付けた平面図、（Ｂ）は（Ａ）のＸ５ーＸ５矢視断面図、（Ｃ）は押圧頭面箇所の斜視図、（Ｄ）は扉のみを想像線としたスライド丁番に取り付けた作用図である。
【発明を実施するための形態】
【０００９】
以下、本発明の実施形態について図１乃至図３に基づいて説明すると、図２（Ａ）に示すように、主に、装着部１３付き縦長本体部１とダンパ７と回動係止部５とから構成されている。具体的には、前記縦長本体部１の左右側に下向きのガイド部１２，１２が形成され、その長手方向の中間に係止突起２，２が左右の開口孔３，３の内側に設けられている。前記縦長本体部１の長手方向の両端側には、スライド丁番８に設けた前側ネジ８６ａ及び後側ネジ８６ｂ（これらの上位概念を「調節ネジ」という）の位置に対応するように前孔部４１及び後孔部４２がそれぞれ貫通形成されている。前記係止突起２，２の係止状態を確実にして外れないようにする回動係止部５が設けられている。また、前記ダンパ７の装着部１３が前記縦長本体部１に平行に一体形成されている。図中９１はキャビネット９などの側壁、９２は扉である。
【００１０】
前記ダンパ７は、シリンダー状のダンパ本体７１と、該ダンパ本体７１内にピストン部として内蔵された先端の押圧杆片７２と、該押圧杆片７２の先端に設けられた押圧頭面７３とから構成されている。該押圧頭面７３は前記扉９２の基部が、面として当たる面部７３ａと、該外側の断面Ｌ型の包囲部７３ｂと、前記面部７３ａの後部側に設けられた筒状部７３ｃとからなり、該筒状部７３ｃが前記押圧杆片７２に挿入固定されている。前記ダンパ７の押圧頭面７３が押圧された場合には、該押圧頭面７３の包囲部７３ｂは前記装着部１３の外面を覆うようにして可動する。
【００１１】
また、該装着部１３の後部には、前記ダンパ７のダンパ本体７１の後部を支持しつつ前後に調整可能な押圧調整ネジ６が設けられている。例えば、扉９２になるべく早めに当接するようにするには、前記押圧調整ネジ６を押しこんで図において右側に近づかせることで対応できる。実際の右側移動の距離は数ｍｍである。後側に位置させても前記装着部１３内をダンパ本体７１が自然に摺動することができる。
【００１２】
前記縦長本体部１は、前記スライド丁番８の取付側本体部８１と同等長さをなし、この上に重なるようになっており、細長形状をなしている。前記縦長本体部１を断面として見ると肉厚状の中間部１１と両側のガイド部１２，１２とで構成されている。該ガイド部１２，１２が、前記スライド丁番８の取付側本体部８１の幅を覆いつつ、数mm重なるようにして載置される構成をなしている。
【００１３】
前記縦長本体部１の中間部１１には、その幅及び長さの中央（略中央を含む）に、幅方向左右側の開口孔３，３を介して断面弧状で細長の対の係止突起２，２が上面から下方に垂下形成されている。さらに、詳述すると、該係止突起２，２を前記縦長本体部１の幅方向の断面として見ると、前記係止突起２，２は、対向する断面弧状の突起片２１，２１が割り溝２２の中間に形成されると共に、この下端には、断面算盤球状の拡大部２３，２３が形成されて、最先端は窄まるように形成され、該拡大部２３，２３を両側から内方に加圧すると、内側に弾性にて僅かに曲がるように構成されている〔図２（Ｄ）参照〕。
【００１４】
また、前記係止突起２，２の中間には、細長の垂直空中としての長方形状間隔部２４が形成されている。該長方形状間隔部２４の断面長方形状の長辺方向と、前記縦長本体部１の長手方向とが一致している。また、前記係止突起２，２の割り溝２２は、前記縦長本体部１の幅方向の断面として見た場合に、原則として左右側に分かれるように形成されているが、上端側は一体化している場合もある。さらに、左右側に分かれた係止突起２，２それぞれに分離するように切り溝などを入れることもある。
【００１５】
前記回動係止部５であって、長方形状杆片５１と、該長方形状杆片５１の上端が、中間下面に固着された細長回動板片５２とから構成されている。前記長方形状杆片５１の長方形断面の長辺方向の長さＷと、前記係止突起２，２の長方形状間隔部２４の長辺方向の間隔Ｗとが同一（略同一も含む）に形成され、且つ前記長方形状杆片５１の長方形状の長辺方向と、前記細長回動板片５２の長手方向とは直交（略直交も含む）するように構成されている。
【００１６】
さらに、取付状態を説明すると、前記回動係止部５の細長回動板片５２の長手方向を、縦長本体部１の長手方向と直交（略直交も含む）するようにして、前記長方形状杆片５１を前記係止突起２，２の長方形状間隔部２４に挿入し、これを、図３（Ａ）において約９０度、右回転させることで、前記長方形状杆片５１の長方形状の長辺方向の両側面が、前記係止突起２，２の長方形状間隔部２４を一杯状態になるように作用することで、前記スライド丁番８から本発明品を外そうとしても外すことが不可能な状態になるように強固な取付ができる。なお、図１〜図４に示すように、符号１５は、前記細長回動板片５２の端が当接するストッパ片である。
【００１７】
外すときには、その回動係止部５の細長回動板片５２を、図３（Ｄ）において、左に約９０度回転させるという極めて簡単な作用で十分であるし、嵌める時も、右に約９０度回転させるといういとも簡単な作用で十分である。これは、その細長回動板片５２のテコ利用の回転であり、簡易且つ確実に着脱自在にできる最大の利点がある。
【００１８】
前記前孔部４１、後孔部４２は、前記スライド丁番８の取付側本体部８１箇所において、ネジ取付箇所が露出するように構成されている。つまり、本発明品を取付後であっても、その位置調整が自由にできるものである。前孔部４１、後孔部４２を介して前側ネジ８６ａと後側ネジ８６ｂが調整できる。その前孔部４１、後孔部４２は、前記縦長本体部１の中間部１１に形成されているが、合成樹脂成型にて成形するため、薄肉にして材料を最小限にするため、孔部が形成された箇所周辺のみに肉厚形成され、他の箇所は空隙部として形成されている。また、孔部（前孔部４１及び後孔部４２）は、実施形態では、２箇所であったが、１箇所や、３箇所とすることもあり数に制限されない。
【００１９】
前記スライド丁番８は、取付側本体部８１が取付座金８２に着脱自在に設けられ、扉９２への扉取付部８３と前記取付側本体部８１との間にリンク部８４が設けられている。このように形成されたスライド丁番８には、主々の形状、構造のものが存在するが、本発明に使用されるスライド丁番８には、取付側本体部８１には、少なくとも取付用挿入部８５が形成されている。さらに、調整用の前側ネジ８６ａと後側ネジ８６ｂとが形成されている。
【符号の説明】
【００２０】
１…縦長本体部、１２…ガイド部、１３…装着部、２…係止突起、２１…突起片、
２３…拡大部、２４…長方形状間隔部、３…開口孔、５…回動係止部、
５１…長方形状杆片、５２…細長回動板片、７…ダンパ、８…スライド丁番、
８１…取付側本体部、８５…取付用挿入孔。
【要約】
【目的】取付及び取り外しが簡易且つ迅速にでき、僅かな力でも大きな力として取付けができ、しかも、簡易に取り外しができるスライド丁番用緩衝具とすること。
【構成】縦長本体部１と、突起片２１が垂下形成された係止突起２と、長方形状杆片５１と細長回動板片５２とからなる回動係止部５と、縦長本体部１の装着部１３に装着可能なダンパ７とからなること。両突起片２１の下端には拡大部２３が形成され、両突起片２１の対向間に形成された長方形状間隔部２４の長辺方向と、縦長本体部１の長手方向とが一致して、両突起片２１の平面的にみた外周形はスライド丁番８の取付用挿入孔８５と略同形をなし、回動係止部５の長方形状杆片５１の長方形断面の長辺方向と細長回動板片５２の長手方向とは直交するように構成されること。長方形状杆片５１が係止突起２１の長方形状間隔部２４に遊挿されて適宜の回転にて両突起片２１の弾性力を遮断するように制御されること。
【選択図】      図１【図１】
0004647035.tif 000002
【図２】
0004647035.tif 000003
【図３】
0004647035.tif 000004
【図４】
0004647035.tif 000005